(57)【要約】      （修正有）【課題】光ファイバー心線の伝送特性に影響を与えることなく簡単に光ファイバーケーブルを固定することのできる光ファイバーケーブル固定具と、この光ファイバーケーブル固定具による光ファイバーケーブルの固定を確実にした装置の筐体を提供する。【解決手段】光ファイバーケーブル固定具は、複数の係止孔が形成されたケーブル固定台と、前記係止孔に着脱自在に係止する複数の係止片が突設されたケーブル固定蓋１７とからなり、前記ケーブル固定蓋１７は、光ファイバーケーブル９を挟持する一対の挟持片３１，３３が光ファイバーケーブル９の配線方向に沿って複数対突設されると共に、一対の挟持片３１，３３とこれに隣接する他の一対の挟持片３１，３３との間に、光ファイバーケーブル９に当接してこれを横方向へ蛇行状に湾曲させる押圧片３９が突設されている。【選択図】図８
2008151994.tif 000002
【特許請求の範囲】
【請求項１】
複数の係止孔が形成されたケーブル固定台と、
前記係止孔に着脱自在に係止する複数の係止片が突設されたケーブル固定蓋とからなり、
前記ケーブル固定蓋は、光ファイバーケーブルを挟持する一対の挟持片が光ファイバーケーブルの配線方向に沿って複数対突設されると共に、
一対の挟持片とこれに隣接する他の一対の挟持片との間に、光ファイバーケーブルに当接してこれを横方向へ蛇行状に湾曲させる押圧片が突設されていることを特徴とする光ファイバーケーブル固定具。
【請求項２】
一対の前記挟持片の突出端は、対向する挟持片方向へ斜め下方に傾斜していることを特徴とする請求項１に記載の光ファイバーケーブル固定具。
【請求項３】
前記押圧片の突出端は、光ファイバーケーブルの押圧方向へ斜め下方に傾斜していることを特徴とする請求項１または請求項２に記載の光ファイバーケーブル固定具。
【請求項４】
前記挟持片の挟持部と前記押圧片の押圧部に、光ファイバーケーブルの被覆に食い込むエッジが設けられていることを特徴とする請求項１乃至請求項３のいずれか１項に記載の光ファイバーケーブル固定具。
【請求項５】
請求項１に記載のケーブル固定蓋が着脱自在に取り付く請求項１に記載のケーブル固定台が一体形成された筐体本体と、
前記ケーブル固定台を覆って筐体本体にスライド自在に取り付くカバーとからなる筐体であって、
前記カバーの裏面側に、ケーブル固定台に取り付くケーブル固定蓋を押圧する脱落防止用の押圧片が突設されていることを特徴とする筐体。
【請求項６】
前記押圧片は、ケーブル固定蓋の複数箇所を押圧可能に複数突設されていることを特徴とする請求項５に記載の筐体。
【請求項７】
前記カバーで被覆される筐体本体の部位に、前記ケーブル固定蓋を収納する収納部が設けられていることを特徴とする請求項５または請求項６に記載の筐体。                                                                                
【発明の詳細な説明】
【技術分野】
【０００１】
本発明は、光ファイバーによる家庭向けのデータ通信サービス(ＦＴＴＨ；Ｆｉｂｅｒ Ｔｏ Ｔｈｅ Ｈｏｍｅ）等で使用される宅内設置型装置（ＯＮＵ；Ｏｐｔｉｃａｌ Ｎｅｔｗｏｒｋ Ｕｎｉｔ）に光ファイバーケーブルを固定する光ファイバーケーブル固定具と、これを用いた装置の筐体に関する。
【背景技術】
【０００２】
大容量のデータ通信サービスとして、昨今、光ファイバーによる家庭向けのデータ通信サービス（ＦＴＴＨ）が普及しており、このデータ通信サービスでは、パソコン等の端末機器をネットワークに接続するための宅内設置型装置（ＯＮＵ）が加入者宅に設置されている。そして、この宅内設置型装置に光ファイバーケーブルが接続されているが、光信号が伝送されるファイバー心線は強度が弱い。
【０００３】
このため、従来、この種の光ファイバーケーブルは、２本のテンションメンバの間に光ファイバー心線を配置して、その外周に扁平な一括被覆を施し、被覆の外周面の光ファイバー心線に相当する位置に溝を形成したドロップケーブルが広く使用されている。そして、この光ファイバーケーブルを宅内設置型装置に引き込んで固定する場合には、テンションメンバをネジ等により締め付けることで、光ファイバーケーブルを装置の筐体に固定していた（特許文献１）。
【０００４】
しかし、斯様にネジ等でテンションメンバを締め付けると、光ファイバー心線が歪んで光信号の伝送特性が劣化してしまう虞があった。
そこで、出願人は斯かる実情に鑑み、特許文献２に於て、光ファイバー心線の伝送特性に影響を与えることなく、光ファイバーケーブルを装置の筐体に確実に固定することのできる光ファイバーケーブル固定具を提案した。
【０００５】
この光ファイバーケーブル固定具は、溝に沿って光ファイバーケーブルの被覆を引き裂き、光ファイバー心線を所定長露出させた後、左右に分岐したテンションメンバを固定具本体に固定するもので、固定具本体には、左右のテンションメンバを夫々蛇行状に湾曲させて係止する複数の係止突起と、光ファイバー心線を収納して筐体内に案内するガイド溝が形成されており、係止突起に沿ってテンションメンバを配置すると、テンションメンバが係止突起によって蛇行状に湾曲した状態で係止され、光ファイバー心線は、前記ガイド溝内に収納されて固定具本体から筐体内に案内されるようになっている。そして、固定具本体にカバーが冠着されており、一例として固定具本体は筐体に一体形成される。
【０００６】
そして、筐体内に案内された光ファイバー心線は別途用意された光ファイバー心線に融着されて、光ファイバー心線が筐体内で余長処理された後、ＳＣコネクタを介して筐体内のアダプタに接続されている。
而して、この光ファイバーケーブル固定具によれば、テンションメンバと係止突起との接触部分に強い摩擦力が発生してテンションメンバが係止，保持されるため、光ファイバーケーブルが確実に固定され、また、光ファイバー心線に応力がかからないため、光ファイバー心線の伝送特性が劣化することもない。
【特許文献１】特開平７−１３４２１４号公報
【特許文献２】特願２００５−１２７５６７
【発明の開示】
【発明が解決しようとする課題】
【０００７】
しかし乍ら、前記光ファイバーケーブル固定具は、被覆を引き裂いて左右に分岐したテンションメンバを固定具本体に固定する作業を要し、次いで、露出した光ファイバー心線に別途用意した光ファイバー心線を融着し、この後、光ファイバー心線を筐体内で余長処理しなければならないといった多くの工程を要しており、作業性の改善が望まれていた。
本発明は斯かる実情に鑑み案出されたもので、被覆を引き裂いて左右に分岐したテンションメンバを固定具本体に固定するといった従来の作業を不要とし、光ファイバー心線の伝送特性に影響を与えることなく簡単に光ファイバーケーブルを固定することのできる光ファイバーケーブル固定具と、この光ファイバーケーブル固定具による光ファイバーケーブルの固定を確実にした装置の筐体を提供することを目的とする。
【課題を解決するための手段】
【０００８】
斯かる目的を達成するため、請求項１に係る光ファイバーケーブル固定具は、複数の係止孔が形成されたケーブル固定台と、前記係止孔に着脱自在に係止する複数の係止片が突設されたケーブル固定蓋とからなり、前記ケーブル固定蓋は、光ファイバーケーブルを挟持する一対の挟持片が光ファイバーケーブルの配線方向に沿って複数対突設されると共に、一対の挟持片とこれに隣接する他の一対の挟持片との間に、光ファイバーケーブルに当接してこれを横方向へ蛇行状に湾曲させる押圧片が突設されていることを特徴とする。
【０００９】
そして、請求項２に係る発明は、請求項１に記載の光ファイバーケーブル固定具に於て、一対の前記挟持片の突出端は、対向する挟持片方向へ斜め下方に傾斜していることを特徴とし、請求項３に係る発明は、請求項１または請求項２に記載の光ファイバーケーブル固定具に於て、前記押圧片の突出端は、光ファイバーケーブルの押圧方向へ斜め下方に傾斜していることを特徴とする。
【００１０】
更に、請求項４に係る発明は、請求項１乃至請求項３のいずれか１項に記載の光ファイバーケーブル固定具に於て、前記挟持片の挟持部と前記押圧片の押圧部に、光ファイバーケーブルの被覆に食い込むエッジが設けられていることを特徴とする。
また、請求項５に係る筐体は、請求項１に記載のケーブル固定蓋が着脱自在に取り付く請求項１に記載のケーブル固定台が一体形成された筐体本体と、前記ケーブル固定台を覆って筐体本体にスライド自在に取り付くカバーとからなる筐体であって、前記カバーの裏面側に、ケーブル固定台に取り付くケーブル固定蓋を押圧する脱落防止用の押圧片が突設されていることを特徴とする。
【００１１】
そして、請求項６に係る発明は、請求項５に記載の筐体に於て、前記押圧片は、ケーブル固定蓋の複数箇所を押圧可能に複数突設されていることを特徴とし、請求項７に係る発明は、請求項５または請求項６に記載の筐体に於て、前記カバーで被覆される筐体本体の部位に、前記ケーブル固定蓋を収納する収納部が設けられていることを特徴とする。
【発明の効果】
【００１２】
請求項１に係る発明によれば、係止片を係止孔に係止してケーブル固定蓋をケーブル固定台に固定するだけで、光ファイバーケーブルが挟持片で挟持されると共に、光ファイバーケーブルの側部に押圧片が当接して光ファイバーケーブルが蛇行状に湾曲するため、光ファイバーケーブルの引張り／押し込み防止が可能となる。
そして、請求項２及び請求項３に係る発明によれば、挟持片の突出端に設けた傾斜部が、光ファイバーケーブルを挟持片の挟持部間に確実に案内することができ、また、押圧片の突出端に設けた傾斜部が、光ファイバーケーブルを押圧片の押圧部に確実に案内することができる利点を有する。
【００１３】
また、請求項４に係る発明によれば、挟持部や押圧部に設けたエッジが光ファイバーケーブルの被覆に食い込むため、光ファイバーケーブルの引張り／押し込みの防止が更に確実となる。
そして、請求項５に係る発明によれば、カバーの裏面側に突設した押圧片がケーブル固定蓋を上方から押圧するため、光ファイバーケーブルを上方に引っ張っても、ケーブル固定蓋がケーブル固定台から外れることがなく、請求項６に係る発明によれば、複数の押圧片がケーブル固定蓋の複数箇所を押圧するため、ケーブル固定蓋の脱落防止が確実に図れることとなる。
【００１４】
また、請求項７に係る発明によれば、ケーブル固定蓋が不要の場合にケーブル固定蓋を収納部に仕舞っておくことで、ケーブル固定蓋の紛失防止が図れる利点を有する。
【発明を実施するための最良の形態】
【００１５】
以下、本発明の実施形態を図面に基づいて詳細に説明する。
図１は請求項１乃至請求項４の光ファイバーケーブル固定具を備えた請求項５乃至請求項７の一実施形態に係る宅内設置型装置（ＯＮＵ）の筐体の要部拡大斜視図を示し、筐体１は、図２に示すように上部の角部に平面視矩形状のケーブル接続部３が凹状に形成された筐体本体５と、このケーブル接続部３を覆って筐体本体５にスライド可能（図１中、矢印Ａ方向）に取り付く断面略Ｌ字状のカバー７を備え、本実施形態では、外部から引き込まれた光ファイバーケーブル９自体にコネクタ１１が接続され、このコネクタ１１が、ケーブル接続部３の一側面に設けたコネクタ挿通孔１３内のアダプタ（図示せず）に直接接続できるようになっている。
【００１６】
尚、筐体本体５とカバー７は、ポリアセタール樹脂等を用いて金型成形により一体形成されている。
また、光ファイバーケーブル９は、２本のテンションメンバの間に光ファイバー心線を配置して、その外周に扁平な被覆９ａを施した従来周知のドロップケーブルである。
そして、図２及び図３に示すように、前記ケーブル接続部３の底部の端部に平面視矩形状のケーブル固定台１５が一体形成され、このケーブル固定台１５に、これと同一材料で形成されたケーブル固定蓋１７が着脱自在に装着されており、ケーブル固定台１５とケーブル固定蓋１７で、本実施形態に係る光ファイバーケーブル固定具１８が形成されている。
【００１７】
図４乃至図９はケーブル固定蓋１７の詳細を示し、図中、１９は平面視略矩形状に形成された平板状の蓋本体で、その長手方向の一端側に、ケーブル固定台１５に固定されたケーブル固定蓋１７を取り外す際に指先を引っ掛ける舌片２１が突設されている。
そして、蓋本体１９の裏面側に、ケーブル固定台１５に設けた２つの係止孔２５に着脱自在に係止する２本の係止片（係止突起）２７が蓋本体１９の前後、即ち、反舌片２１側端部と舌片２１の付け根付近に対向して突設されており、両係止片２７の突出端に設けられた係止爪２９は反舌片２１側に突出している。
【００１８】
また、図示するように蓋本体１９の左右の裏面側に、光ファイバーケーブル９の配線方向に沿って一対の挟持片３１，３３が左右対称に突設されており、各挟持片３１，３３の突出端には、対向する挟持片３３，３１方向へ斜め下方に傾斜する傾斜部３５，３７が設けられている。
そして、左右一対の挟持片３１，３３間に、図８及び図９の如く光ファイバーケーブル９の側部に当接してこれを横方向（舌片２１方向）へ蛇行状に湾曲させる１つの押圧片（押圧突起）３９が突設されており、図８に示すように光ファイバーケーブル９を挟持する挟持片３１の挟持部４１よりも、光ファイバーケーブル９に当接する押圧片３９の押圧部４３が舌片２１方向に突出した構造となっている。
【００１９】
このため、左右の挟持片３１，３３で挟持される光ファイバーケーブル９の側部に押圧片３９が当接して、光ファイバーケーブル９が横方向（舌片２１方向）へ蛇行状に湾曲することとなる。
更に、押圧片３９の突出端には、押圧部４３方向へ斜め下方に傾斜する傾斜部４４が設けられており、後述するようにケーブル固定蓋１７をケーブル固定台１５に取り付ける際に、光ファイバーケーブル９がスムーズに押圧部４３方向へ案内されるようになっている。
【００２０】
そして、挟持片３１，３３の挟持部４１，４５と押圧片３９の押圧部４３に、夫々、光ファイバーケーブル９の被覆９ａに食い込む先端側が鋭角なエッジ４７が上下方向に一体形成されており、これらのエッジ４７が光ファイバーケーブル９の被覆９ａに食い込み、且つ既述したように左右の挟持片３１，３３で挟持される光ファイバーケーブル９の側部に押圧片３９が当接して光ファイバーケーブル９が横方向へ蛇行状に湾曲することで、光ファイバーケーブル９の引張り／押し込み防止が図られている。
【００２１】
一方、既述したようにケーブル固定台１５は、図２及び図３の如くケーブル接続部３の底部の端部に一体形成されており、前記係止爪２７に対向して２つの係止孔２５がその底部に設けられている。そして、ケーブル固定台１５の左右に立設した平行な壁部４９，５１上にケーブル固定蓋１７が載置され、両壁部４９，５１の一端側に設けた突片５３，５５間に、前記舌片２１が配置されるようになっている。
【００２２】
また、前記係止孔２５間には、前記押圧片３９によって舌片２１方向へ湾曲した光ファイバーケーブル９を受ける受圧片（受圧突起）５７が突設されている。従って、押圧片３９によって舌片２１方向へ湾曲された光ファイバーケーブル９は、押圧片３９とこの受圧片５７によっても挟持される。
そして、図３に示すように受圧片５７の受圧部５９にエッジ４７が形成されると共に、受圧片５７の突出端にも、受圧部５９方向へ斜め下方に傾斜する傾斜部６１が設けられており、この傾斜部６１と押圧片３９側の傾斜部４４との相乗作用で、光ファイバーケーブル９が押圧部４３，受圧部５９間にスムーズに案内されるようになっている。
【００２３】
更に、前記壁部４９，５１の中央には、光ファイバーケーブル９を挿通させる径の異なる半円形状の切欠き６３，６５が同軸上に設けられており、図２の如くケーブル固定蓋１７を被せて形成されるケーブル挿通孔６７に光ファイバーケーブル９が挿通するようになっている。
ケーブル固定台１５とケーブル固定蓋１７はこのように構成されており、図２の如く光ファイバーケーブル９のコネクタ１１をケーブル接続部３のアダプタに接続して、光ファイバーケーブル９をケーブル固定台１５の切欠き６３，６５内に配置した後、ケーブル固定蓋１７の係止片２７をケーブル固定台１５の係止孔２５に係止してケーブル固定蓋１７をケーブル固定台１５に固定すると、ケーブル固定蓋１７の左右に突設した各挟持片３１，３３の傾斜部３５，３７が光ファイバーケーブル９を挟持部４１，４５間に案内すると同時に、押圧片３９の傾斜部４４と受圧片５７の傾斜部６１が光ファイバーケーブル９を押圧部４３，受圧部５９間に案内するため、図８の如く押圧片３９によって舌片２１方向へ湾曲した光ファイバーケーブル９が、左右一対の挟持片３１，３３のエッジ４７と、押圧片３９と受圧片５７のエッジ４７とで挟持されるようになっている。
【００２４】
尚、押圧片３９の傾斜部４４と受圧片５７の傾斜部６１の終端は、挟持片３１，３３の傾斜部３５，３７の終端よりも高さが低く設定されており、挟持片３１，３３で挟持され乍ら、光ファイバーケーブル９はケーブル固定蓋１７の押し下げによって舌片２１方向へ更に案内されて湾曲していくようになっている。
そして、前記ケーブル接続部３を覆って筐体本体５にカバー７が、従来周知の取付構造を以ってスライド可能に取り付くが、図１０に示すようにカバー７の裏面側には、ケーブル固定台１５に取り付くケーブル固定蓋１７の蓋本体１９の四隅を上方から夫々押圧する４本の押圧片６９が突設されており、カバー７が筐体本体５に矢印Ａ方向へスライドさせて取り付く構造上、図１０の状態で光ファイバーケーブル９を上方に引っ張っても、押圧片６９が蓋本体１９の四隅を上方から押圧することで、ケーブル固定蓋１７がケーブル固定台１５から外れることがないようになっている。
【００２５】
また、図３に示すようにケーブル接続部３の底部には、ケーブル固定蓋１７を収納する凹状の収納部７１が設けられており、前記光ファイバーケーブル９と仕様が異なる光ファイバーケーブルを接続するためにケーブル固定蓋１７が不要の場合、ケーブル固定蓋１７をこの収納部７１内に収納しておくことができるようになっている。
而して、収納部７１には、既述した左右の挟持片３１，３３や押圧片３９，係止片２７等の挿入孔７３，７５が形成されると共に、ケーブル固定蓋１７の中央に設けた開口部７７に係止してケーブル固定蓋１７の脱落防止を図る係止片７９等が設けられている。
【００２６】
本実施形態に係る光ファイバーケーブル固定具１８とこれを用いた筐体１はこのように構成されているから、筐体１への光ファイバーケーブル９の取り付けは、図２の如く光ファイバーケーブル９のコネクタ１１をケーブル接続部３のアダプタに接続して、光ファイバーケーブル９をケーブル固定台１５の切欠き６３，６５内に配置した後、ケーブル固定蓋１７の係止片２７をケーブル固定台１５の係止孔２５に係止してケーブル固定蓋１７をケーブル固定台１５に固定すればよい。
【００２７】
而して、斯様に係止片２７を係止孔２５に係止してケーブル固定蓋１７をケーブル固定台１５に固定すると、ケーブル固定蓋１７の左右に突設した各挟持片３１，３３の傾斜部３５，３７が光ファイバーケーブル９を挟持部４１，４５間に案内すると同時に、押圧片３９の傾斜部４４と受圧片５７の傾斜部６１が光ファイバーケーブル９を押圧部４３，受圧部５９間に案内するため、図８の如く押圧片３９によって舌片２１方向へ湾曲された光ファイバーケーブル９が、左右一対の挟持片３１，３３のエッジ４７と押圧片３９と受圧片５７のエッジ４７とで挟持されて、光ファイバーケーブル９の引張り／押し込み防止が図られる。
【００２８】
そして、ケーブル接続部３を覆って筐体本体５にカバー７を図１の如く矢印Ａ方向にスライドさせて取り付けると、図１０に示すようにカバー７の裏面側に突設した４本の押圧片６９が蓋本体１９の四隅を上方から押圧するため、光ファイバーケーブル９を上方に引っ張っても、ケーブル固定蓋１７がケーブル固定台１５から外れることがない。
このように本実施形態は、図２の如く光ファイバーケーブル９のコネクタ１１をケーブル接続部３のアダプタに接続して、光ファイバーケーブル９をケーブル固定台１５の切欠き６３，６５内に配置した後、係止片２７を係止孔２５に係止してケーブル固定蓋１７をケーブル固定台１５に固定するだけで光ファイバーケーブル９を筐体１に取り付けることが可能である。
【００２９】
而も、本実施形態は、ケーブル固定蓋１７の左右に突設した各挟持片３１，３３の突出端に、光ファイバーケーブル９を挟持部４１，４５間に案内する傾斜部３５，３７を設けると共に、押圧片３９と受圧片５７の突出端に、光ファイバーケーブル９を押圧部４３，受圧部５９間に案内する傾斜部４４，６１を設けたので、ケーブル固定蓋１７をケーブル固定台１５に固定する際に、光ファイバーケーブル９が挟持部４１，４５間と押圧部４３，受圧部５９間に確実に案内できると共に、挟持部４１，４５と押圧部４３，受圧部５９とに設けたエッジ４７が蛇行して湾曲する光ファイバーケーブル９の被覆９ａに食い込んで、光ファイバーケーブル９の引張り／押し込みの防止が確実となる。
【００３０】
そして、本実施形態によれば、ネジ等でテンションメンバを締め付ける特許文献１の従来例と異なり、光信号の伝送特性を劣化させてしまう虞がない。
また、既述したように特許文献２の従来例では、被覆を引き裂いて左右に分岐したテンションメンバを固定具本体に固定し、次いで、露出した光ファイバー心線に別途用意した光ファイバー心線を融着し、この後、光ファイバー心線を筐体内で余長処理するといった多くの工程を要していたが、本実施形態の光ファイバーケーブル固定具１８によれば、被覆９ａを引き裂いたり、露出した光ファイバー心線に別途用意した光ファイバー心線を融着したり、光ファイバー心線を筐体内で余長処理するといった従来の作業が不要で、引用文献２の光ファイバーケーブル固定具に比し、光ファイバーケーブル９の固定が簡単に行えることとなった。
【００３１】
そして、前記光ファイバーケーブル固定具１８を用いた筐体１によれば、カバー７の裏面側に突設した４本の押圧片６９が蓋本体１９の四隅を上方から押圧するため、光ファイバーケーブル９を上方に引っ張っても、ケーブル固定蓋１７がケーブル固定台１５から外れることがなく、また、ケーブル固定蓋１７が不要の場合にケーブル固定蓋１７を仕舞っておく収納部７１をケーブル接続部３内に設けたため、ケーブル固定蓋１７の紛失防止が図れる利点を有する。
【００３２】
更に、本実施形態によれば、ケーブル固定台１５を筐体本体５に一体形成することが容易で、ケーブル固定台１５を宅内設置型装置側に配備し、ケーブル固定蓋１７を同一材料のモールドで形成することにより、一種材料，二部品で構成できるために低コスト化が図れる利点を有する。
尚、上記実施形態は、ケーブル固定台１５を筐体本体５に一体形成したが、ケーブル固定台１５を筐体本体５と別体に形成してこれを筐体本体５に着脱自在にしてもよいし、ケーブル固定台１５を筐体本体５に一体形成すると共に、ケーブル固定蓋１７をヒンジ構造を以って筐体本体５に展開可能に一体形成してもよく、これらの各実施形態によっても、前記実施形態と同様、所期の目的を達成することが可能である。
【図面の簡単な説明】
【００３３】
【図１】請求項１乃至請求項４の光ファイバーケーブル固定具を備えた請求項５乃至請求項７の一実施形態に係る宅内設置型装置（ＯＮＵ）の筐体の要部拡大斜視図である。
【図２】カバーを取り外した筐体の要部拡大斜視図である。
【図３】カバーを取り外した筐体とこれに一体形成されたケーブル固定台の要部拡大斜視図である。
【図４】ケーブル固定蓋の平面図である。
【図５】図４のV−V線断面図である。
【図６】ケーブル固定蓋の斜視図である。
【図７】ケーブル固定蓋の裏面側の斜視図である。
【図８】挟持片と押圧片の説明図である。
【図９】ケーブル固定蓋とこれに取り付く光ファイバーケーブルの斜視図である。
【図１０】カバーが取り付く筐体の要部拡大斜視図である。
【符号の説明】
【００３４】
１  筐体
３  ケーブル接続部
５  筐体本体
７  カバー
９  光ファイバーケーブル
９ａ  被覆
１１  コネクタ
１５  ケーブル固定台
１７  ケーブル固定蓋
１８  光ファイバーケーブル固定具
１９  蓋本体
２１  舌片
２５  係止孔
２７  係止片（係止突起）
２９  係止爪
３１，３３  挟持片
３５，３７，４４，６１  傾斜部
３９  押圧片（押圧突起）
４１，４５  挟持部
４３  押圧部
４７  エッジ
５７  受圧片（受圧突起）
５９  受圧部
６９  押圧片
７１  収納部                                                                                
【図１】
2008151994.tif 000003
【図２】
2008151994.tif 000004
【図３】
2008151994.tif 000005
【図４】
2008151994.tif 000006
【図５】
2008151994.tif 000007
【図６】
2008151994.tif 000008
【図７】
2008151994.tif 000009
【図８】
2008151994.tif 000010
【図９】
2008151994.tif 000011
【図１０】
2008151994.tif 000012